Podtech/llm-jp-corpus-v4-ja_patent huggingface dataset:
(57)【要約】【課題】突然の雨にも対応できる日傘用の雨よけカバーを提供する。【解決手段】コーモリ傘形の日傘上面に装着可能なる防水布体としてのカバー本体を設け、該カバー本体中央上部に、孔を有する石突きカバー部を設け、カバー本体下面外周近傍に、開口小袋形の親骨受けを、その開口部を内方に向けて等配に複数個設けたことを特徴とする。【選択図】図１
0003173104.tif 000002
【実用新案登録請求の範囲】
【請求項１】
コーモリ傘形の日傘上面に装着可能なる防水布体としてのカバー本体を設け、該カバー本体中央上部に、孔を有する石突きカバー部を設け、カバー本体下面外周近傍に、開口小袋形の親骨受けを、その開口部を内方に向けて等配に複数個設けたことを特徴とする日傘用雨よけカバー。
【請求項２】
カバー本体を平面視正八角形としてなる請求項１記載の日傘用雨よけカバー。
【考案の詳細な説明】
【技術分野】
【０００１】  この考案は、日傘に装着して雨よけとするためのカバーに関する。
【背景技術】
【０００２】  従来より、傘は単品として用いられており、本案にて示すように、日傘に装着して用いるためのカバーは見あたらない。
【考案の開示】
【考案が解決しようとする課題】
【０００３】  傘は雨傘と日傘に大別される。雨傘は雨水よけのために用いられ、防水加工を施した布などが用いられる。日傘は日光の直射を避けるためのものであって、一般に防水加工はなされていない。これらの傘は天候や気候にて使い分けられるが、使用中に天候が変わることも多くある。例えば、晴天時に日傘を用いて歩行しているうちに、雨天となったとき、前記のごとく日傘には防水加工がないので十分な雨よけは無理である。しかし、２種の傘を用意するのは負担であるという問題がある。
本案は以上に鑑み、市販の日傘に装着可能なカバーを設けることにて、突然の雨にも対応可能となる有用なる物品を提供することを目的として考案されたものである。
【課題を解決するための手段】
【０００４】  課題を解決する手段として本案は以下の構成とした。
すなわち、コーモリ傘形の日傘上面に装着可能なる防水布体としてのカバー本体を設け、該カバー本体中央上部に、孔を有する石突きカバー部を設け、カバー本体下面外周近傍に、開口小袋形の親骨受けを、その開口部を内方に向けて等配に複数個設ける。
本案は以上の構成よりなる日傘用雨よけカバーである。
【考案の効果】
【０００５】  本案によれば、日傘での外出時において雨天となったときに、日傘に装着して雨傘として使用することができて、便利に利用できる有用なる物品を得ることができる。
また、布体であるので、コンパクトに丸めてあるいは折りたたんで携帯に便利なるものとして用いることができる。
【考案を実施するための最良の形態】
【０００６】  以下、本考案の実施形態について説明する。
図において、１はカバー本体で、防水処理を施した三角形布体を縫合して平面視正八角形としたものである。その中央は上方へ突出する石突きカバー部２が設けられ、この石突きカバー部中央には、笠の石突きを通すための孔３が設けられている。また、この孔周りにはゴム紐が縫着内蔵される。このカバー本体の外縁頂部裏面には、親骨受け４が縫着にて設けられる。この親骨受けは、略円錐形の小袋状部分で、その開口部を内方に向けてカバー本体裏面に設けられる。
本案の使用については、本案を丸めてあるいは折りたたんで外出時に日傘とは別に携帯する。外出中に雨天となったときは、以下の手順にて日傘に本品を装着する。
１．本案品を取り出し、まず石突きカバー部を日傘の石突きにかぶせる。このとき、石突きカバー部の孔より傘の石突きが突出し、孔周りのゴム紐にてこの石突きカバー部は石突きに密着する。
２．傘の親骨先端を、親骨受けに挿入し、各親骨について順次この作業を行う。
以上の作業にて、図６にて示すように、日傘上面に本案カバーが密着して装着される。
本案カバーは装着しようとする傘の布体よりやや大きく、装着時においては傘の布張り外端に比べて本案カバー外端がやや張り出して位置する。従って、日傘を雨に濡らすことなく雨傘として使用することができる。使用後は、既述と逆の手順にて本案カバーを傘より外して収納保管することができるが、日傘を閉じて行うと容易である。【０００７】  以上、本案について記したが、本案は手持ちの日傘に装着して雨傘としても使用できるところにその特徴を有している。従来は、使用目的によって傘を使い分けており、日傘を雨傘としては使用できないため、突然の雨天時への対応に苦慮していた。しかるに本案は、日傘に装着するだけで雨傘としても使用することができるものであり、従来にない特徴を有するものである。また、薄布製であるのでその携帯性にも富むものとなっている。
本案カバーの日傘への装着時において、本案カバーは三角形布体縫合にて形成されているので、該カバーを引っ張ることにて変形を起こし、この変形後の復元力にて親骨先端に適度の押圧状態にて安定装着することができる。また、親骨受けは略円錐形小袋状のため、この小袋開口部が広くあき、親骨をはめやすく、はめ込むと小袋の奥は狭いのでしっかりと収めることができる。なお、既述の例において、本案カバーを平面視正八角形としたが、この形状は装着しようとする日傘形状に合わせて適宜に設計すればよい。以上のごとく、本案によって日傘の利便性を高めることのできる有用なる物品を得ることができる。
【図面の簡単な説明】
【０００８】
【図１】本考案の平面図
【図２】本考案の底面図
【図３】本考案の要部説明図
【図４】本考案の要部説明図
【図５】本考案の要部説明図
【図６】本考案の装着状態図
【符号の説明】
【０００９】  １  カバー本体
２  石突きカバー部
３  孔
４  親骨受け
１０  傘軸
１１  握り柄
１２  布張り
１３  親骨
【図１】
0003173104.tif 000003
【図２】
0003173104.tif 000004
【図３】
0003173104.tif 000005
【図４】
0003173104.tif 000006
【図５】
0003173104.tif 000007
【図６】
0003173104.tif 000008
(57)【要約】      （修正有）【課題】郵便受けの底部に取り出し口を設け、郵便を取り出し易くした郵便受けを提供する。【解決手段】収納箱の１面を覆う扉をもった郵便受け１において、その扉５は、収納箱４の下に設けられた扉を回転させるヒンジ部と、扉を下向きに摺動させるスライダーを有したものであり、より好ましくは、その扉のスライダーは、扉が下向きに摺動する勢いを緩和させるダンパーを有しているものである。【選択図】図１
0003173444.tif 000002
【実用新案登録請求の範囲】
【請求項１】
収納箱の１面を覆う扉をもった郵便受けにおいて、その扉は、収納箱の下に設けられた扉を回転させるヒンジ部と、扉を下向きに摺動させるスライダーを有したことを特徴とする郵便受け。
【請求項２】
前記扉のスライダーは、扉が下向きに摺動する勢いを緩和させるダンパーを有していることを特徴とする前記請求項１記載の郵便受け。
【考案の詳細な説明】
【技術分野】
【０００１】  本考案は郵便物の取り出しやすい郵便受けに関する。
【背景技術】
【０００２】従来より郵便受けは門柱や壁面のしかるべき高さの位置に取り付けられており、特に高級感のあるものは特開２００６−２３０４７８号公報に示されるように、投入口の背面に収納箱を有している。その収納箱の背面に、一面を覆うような扉が設けられ、この扉を開閉することで郵便物を取り出していた。このような扉は、この公報に示されるように上側に開くか、または左右に開くか、観音開きにするものであった。
【先行技術文献】
【特許文献】
【０００３】
【特許文献１】特開２００６−２３０４７８号公報
【考案の概要】
【考案が解決しようとする課題】
【０００４】しかしながら、このような扉は、開閉のための空間が広く必要なために人が収納箱から離れなければならず、また、片手で扉を開いた状態に維持するか両手を扉にかけるため、両手に荷物を持っている時など扉の開閉及び郵便物が取り出しにくかった。
【課題を解決するための手段】
【０００５】本考案はこのような点を考慮してなされたもので、収納箱の１面を覆う扉をもった郵便受けにおいて、その扉は、収納箱の下に設けられた扉を回転させるヒンジ部と、扉を下向きに摺動させるスライダーを有したものであり、より好ましくは、その扉のスライダーは、扉が下向きに摺動する勢いを緩和させるダンパーを有しているものである。
【考案の効果】
【０００６】このように扉をいったんヒンジ部で受けて手前側に少しばかり開きそのまま下側に落としてしまうので、片手で操作でき人が収納箱に近接して作業できる。しかも郵便物を取り出すときは両手が空いた状態になる。またダンパーによって扉が下側に落ちる時にゆっくりした動作になるので、扉を開けることの衝撃で郵便物が飛び出したりすることもなくまた、開時の振動による扉部の衝撃による破損を防ぐ。
【図面の簡単な説明】
【０００７】
【図１】本考案実施例の郵便受けの背面図である。
【図２】本考案実施例の郵便受けの要部断面図である。
【図３】本考案実施例の郵便受けの側面図である。
【実施例】
【０００８】図１ないし図３において、郵便受け１は  投函口２から投入された郵便物が、郵便物投入通路３を通り収納箱４の１面を覆う扉５をもった郵便受け１である。投函口２はステンレス製で塗装されており縦９センチ横３９センチの大きさで  投函しない時は、投函口扉９が閉まっており  投函時はその投函口扉９を押しこむ事により郵便物が投入通路３を通る。郵便物が投入通路３に入ったのち投函口２の投函口扉９が閉まり雨や虫などの侵入を防止する。投函通路３は、ステンレス製で塗装されており縦９センチ横３９センチ奥行き１５センチの箱状になっている。投函通路３の外側４方向にブロックを積む為箱状の中には、投函通路３が潰れなくする為ステンレスの曲げられた板を補強として取り付けてある。【０００９】収納箱４は、ステンレス製で塗装がされており縦４０センチ横３９センチ奥行き２４センチの箱になっており天板１０は雨水が流れやすくなるよう傾斜になっておりまた傾斜先は雨とい１１がある事により収納箱４の中には水が入り郵便物等を濡らさない構造になっている。
ロータリーキャッチ１２で扉５をキャッチする。扉５の材質はステンレス製で塗装されており  大きさは縦横３８．５センチ奥行き２．５センチ。その扉５は、投函された物が確認出来るようにアクリル製で縦１０センチ横１８センチの窓１３が設けられている。Ｔ型カムロック１４は投函物の盗難防止の為に鍵１５を設けている。そのＴ型カムロックを設ける事により簡易のロックすると扉５が開かない構造になっている。
また、簡易のロックしている事により投函口２から勢いよく投函物を投函しても扉５が開かない構造になっている。【００１０】投函物を取出す時は  収納箱４の下に設けられた扉５を回転させるヒンジ部６と、扉を下向きに摺動させるスライダー７を有したものである。ヒンジ部６は、ステンレス製で収納箱４底部に設けられた、下側が開放された弓形の受け部と、その受け部に係合する軸部を扉５に２個設けて構成され、扉５が収納箱４を開けようとしている時には扉５が回転するように働き、扉５が一定の角度開くと、扉５が下側に移動出来るように構成されている。スライダー７は、樹脂ベアリング１６大６個小２個使用した構造である。またヒンジ部６の受け部は、扉５を閉める時の情報への移動を規制する役目を持っている。ヒンジ部６と下向きに摺動させるスライダー７により片手にて開ける操作が出来  扉５が下に下がり事によって人が収納箱４に近接して郵便物を取出す事が出来る。より好ましくは、その扉のスライダー７は、扉５が下向きに摺動する勢いを緩和させるダンパー８を有しているものである。ダンパー８は２本使用しており扉５が下向きに摺動しある位置に達した時ゆっくりと扉５を下げる役目をしている。
ダンパー８により  扉５を開ける音の低減と郵便受け１の衝撃による劣化を低減させている。また、扉５を閉める時は少ない力で片手で行う事が出来る郵便受け１である。
ブロックの幅に対応する為スペーサー１７を付属させている。スペーサー１７はステンレス製で塗装されておりワンタッチで装着出来る構造になっている。
【符号の説明】
【００１１】１  郵便受け
２  投函口
３  投入通路
４  収納箱
５  扉
６  ヒンジ部
７  スライダー
８  ダンパー
【図１】
0003173444.tif 000003
【図２】
0003173444.tif 000004
【図３】
0003173444.tif 000005
(57)【要約】      （修正有）【課題】対面でのかつら及びウィッグの購入をする必要無く、かつ、直ちに商品を購入できるようにし、また、顧客が自己に合うデザインやサイズを簡単に確認できるようにした自動販売機を提供する。【解決手段】人目を気にせずに購入できる様に、又、緊急で欲しい時に即時にかつら及びウィッグを入手できる様に、自動販売機を構成する。該自動販売機には、カメラを搭載して購入者の頭部を中心を備えつけの画面に映し出すことによって、自己に最適なカツラ及びウィッグのサイズと希望のファッションの確認を行うことができるようにする。【選択図】図１
0003173445.tif 000002
【実用新案登録請求の範囲】
【請求項１】
自動販売機によってかつら及びウィッグの販売を行う。
【請求項２】
自動販売機に備え付けのカメラで購入者を画面に映し出し、購入者にかつら及びウィッグのサイズとデザインのアドバイスを行う。
【考案の詳細な説明】
【考案の概要】
【考案が解決しようとする課題】
【０００１】かつら及びウィッグの販売は基本的に対面販売及び通信販売によって行われている。まず、対面販売の場合、販売員に対し薄毛部分の露出をする必要があり、購入者の精神的苦痛を伴うとう問題点がある。
また、通信販売による場合、緊急で欲しいという需要を満たすことができないという問題点がある。
さらに、購入に際し、サイズや自己にあったデザインのかつら及びウィッグが分からないという不便な問題がある。
【課題を解決するための手段】
【０００２】  かつら及びウィッグが販売できるように自動販売機を改造し、需要の多い場所へ設置する。
自動販売機には、カメラを搭載し、購入者の頭部中心を備え付けの画面に映し出すことによって、自己に最適なかつら及びウィッグのサイズとデザインをアドバイスする。
【考案の効果】
【０００３】対面販売による購入を行わないため、人目を気にせずに購入できるようになり、精神的苦痛を軽減することができる。
また、自動販売機で即時に商品を入手することができるので、緊急で欲しいという需要を満たすことができる。
さらに、カメラを搭載した画面に自己を映すことで、かつら及びウィッグのサイズと希望のファッションの確認を行うことができる。
【図面の簡単な説明】
【０００４】
【図１】かつら及びウィッグを販売する自動販売機を示した平面図である。
【図２】かつら及びウィッグの商品取り出し口と商品のケースを正面から示した立体図である。
【符号の説明】
【０００５】１  商品棚
２  画面
３  カメラ
４  商品ケース
【図１】
0003173445.tif 000003
【図２】
0003173445.tif 000004
【手続補正書】
【提出日】平成23年11月11日(2011.11.11)
【手続補正１】
【補正対象書類名】実用新案登録請求の範囲
【補正対象項目名】全文
【補正方法】変更
【補正の内容】
【実用新案登録請求の範囲】
【請求項１】
かつら及びウィッグの販売を行う自動販売機。
(57)【要約】      （修正有）【課題】亀甲墓を模し、金額投入時に音声を出すことで楽しく貯金することができるミニチュア亀甲墓型貯金箱を提供する。【解決手段】貯金箱本体１内部に入金判定センサー及び音声出力ユニット５を備え、コイン投入口２にセンサーを設置し、入金時に沖縄由来の祝詞や琉球音楽を出し、楽しく貯金できる仕組みを備える。さらに形状は、女性の子宮を象り母体回帰の思想を元に造られた沖縄の亀甲墓を模しており、蓄財が元の所に戻るという願いを具現化した形状をとることで、縁起の象徴として貯金および所有する満足感を与える。【選択図】図６
0003173441.tif 000002
【実用新案登録請求の範囲】
【請求項１】
木材に内外共に漆喰塗りした素材または石材、漆塗りまたは木材、プラスチック樹脂を沖縄の亀甲墓を模した形状に成形したミニチュア亀甲墓型貯金箱。
【考案の詳細な説明】
【技術分野】
【０００１】本考案は「人は亡くなったら再び母親の胎内に戻る」といういわれに基づき、女性の子宮を象り母体回帰の思想を元に造られた沖縄の亀甲墓の形状を漆喰や石材、木材の漆塗り素材、プラスチック素材等を用いて成形した貯金箱である。
【背景技術】
【０００２】貯金箱にはさまざまなものが存在している。例として、様々な形状を象ったものや、貯金額や、目標金額、入金金額を表示可能な機能を持つものが存在する。
【考案の概要】
【考案が解決しようとする課題】
【０００３】貯金箱の目的は、所定の金額を貯めて個々人の目的のために貯金した財産を使用するものであるが、所定の金額を貯める前に挫折してしまうことが多い。
【課題を解決するための手段】
【０００４】本考案は、女性の子宮を象り母体回帰の思想を元に造られた沖縄の亀甲墓の形状を持ち、蓄財が元の所に戻るという願いを具現化した形状をとることで、縁起の象徴として貯金および所有する満足感を与える。【０００５】人は神聖なものに対して粗略に扱うことにためらいがあるため、亀甲墓を模した形状の本考案の貯金箱は粗略に扱われず、目標貯金額が貯まるまで大事にかつ人目に付きやすい場所に設置される効果を持つ。【０００６】さらに入金時には、貯金箱に内蔵した音声再生装置により、沖縄の祝詞や三線などによる沖縄由来の音楽を再生し、聴覚的に楽しませ、楽しく貯金が続けられる仕掛けを有する。
【考案の効果】
【０００７】本考案に係る請求項１記載のミニチュア亀甲墓型貯金箱は、木材の漆塗り素材やプラスチック素材、そして実際の亀甲墓にも使用されている漆喰や石材を素材とし、貯金箱を所有する満足感を持ち主に与えるとともに、入金時に沖縄由来の音楽・音声を流すことで、視覚的及び聴覚的に貯金を楽しむことができるため、貯金意欲を駆り立て、目標金額に達成するまで貯金を続けることができる。
【実施例】
【０００８】以下、添付図面に従って一実施例を説明する。１は木材をまたはプラスチック素材を漆喰塗りした素材、または、石材、木材の漆塗り素材、プラスチック等で成形した貯金箱体。２はコイン投入口。３はシリコンまたはゴム素材にて造られた出金用穴をふさぐ蓋。４は底面に空けられた出金用穴。５は音声出力ユニット。６はリード線であり、５の音声出力ユニットと７の入金判定センサーを接続する。入金確認時に７の入金判定センサーがコインの入金を判定し、６の入金判定センサーと音声出力ユニットを接続するリード線を介して接続した５音声出力ユニットが音声出力を行う。
【図面の簡単な説明】
【０００９】
【図１】本考案のミニチュア亀甲墓型貯金箱の一実施例を示す正面図である。
【図２】ミニチュア亀甲墓型貯金箱の上面図である。
【図３】ミニチュア亀甲墓型貯金箱の左側面図である。
【図４】ミニチュア亀甲墓型貯金箱の右側面図である。
【図５】ミニチュア亀甲墓型貯金箱の底面図である。
【図６】ミニチュア亀甲墓型貯金箱の断面図である。
【符号の説明】
【００１０】１  ミニチュア亀甲墓型貯金箱本体
２  コイン投入口
３  出金用穴蓋
４  出金用穴
５  音声出力ユニット
６  リード線
７  入金判定センサー
【図１】
0003173441.tif 000003
【図２】
0003173441.tif 000004
【図３】
0003173441.tif 000005
【図４】
0003173441.tif 000006
【図５】
0003173441.tif 000007
【図６】
0003173441.tif 000008
【手続補正書】
【提出日】平成23年11月18日(2011.11.18)
【手続補正１】
【補正対象書類名】実用新案登録請求の範囲
【補正対象項目名】全文
【補正方法】変更
【補正の内容】
【実用新案登録請求の範囲】
【請求項１】
木材をまたはプラスチック素材を漆喰塗りした素材、石材、木材の漆塗り素材、あるいはプラスチック樹脂を沖縄の亀甲墓を模した形状に成形したミニチュア亀甲墓型貯金箱。
(57)【要約】      （修正有）【課題】バストの形状を美しく整え、かつ通気性に優れたブラカップを提供する。【解決手段】カップ素材をポリプロピレンまたはポリエステルもしくはそれに換わる張りのある丈夫な糸で網んだネット地で構成しており、表面カップ１と裏面カップ３の間に空間を設ける。【選択図】図２
0003173447.tif 000002
【実用新案登録請求の範囲】
【請求項１】
ブラカップ本体が、しなやかで丈夫なポリプロピレンまたはポリエステルもしくはそれに換わる丈夫な素材糸で網んだネット地を使用するもので表面カップと裏面カップの間に空間を設けることにより、ネットそのものの通気性柔軟性、弾力性、復元性を生かしつつ、バストの補正と外観の美しさを保つことを特徴とするブラカップ。
【考案の詳細な説明】
【技術分野】
【０００１】  本考案は、通気の良いネット素材で作ったブラジャーのカップに関するものである。
【背景技術】
【０００２】  現在のブラジャーのカップはポリウレタン素材が主流で通気が悪い為、蒸れやすい。
【考案の概要】
【考案が解決しようとする課題】
【０００３】  バストの大きさ、形を決めるにあたりカップは必要不可欠なものであるが、従来品では暑い季節の着用は蒸れて汗がたまりやすく、とても不快である。しかしながら美しいバストの形を保ちたいと願う思い、これら両面を解決しようとするものである。
【課題を解決するための手段】
【０００４】  本考案はカップ素材をポリプロピレン又はポリエステルの張りのある糸で網状に編んだネット地を使用し、椀型加工した表面カップの大きさと裏面カップの山の大きさを変えて２枚を合わせることにより、面と面の間に空間を作る。それによりバストの形状を美しく整え且つ通気性、柔軟性、軽さの点で優れていることから問題点を解決している。
【考案の効果】
【０００５】  上述の様に本考案の風が通るブラカップは暑い室内または暑い屋外での作業時において発汗しても通気により熱を逃がし、暑さや蒸れを持続させない。
素材が網状でしなやかな為、従来通りの洗濯が可能、また着用時に形状が美しく整う為、満足度が高い。
【図面の簡単な説明】
【０００６】
【図１】  本考案の風が通るブラカップの斜め横から見た図
【図２】  本ブラカップのたて断面図である
【考案を実施するための形態】
【０００７】  このブラカップは、従来品のブラジャー本体の表地装飾用レースもしくは透け防止用布地と裏面の綿生地との間にはさみ込む形でブラジャー本体と縫製固定して使用する。
固定されたことにより、ずれることなくバストの形状を美しく保ちながら涼しく着用できる。
【実施例】
【０００８】  以下添付図面に従って一実施例を説明する。１はポリプロピレン又はポリエステルの張りのある糸で編んだ網状の本体であって、本体すべてが同一素材で出来ており柔軟性、弾力性、通気性と軽さが特徴。２の周囲部分は表面と裏面との合わせ部分で、しかるべき方法で合わせ処理する。１ａは、本体の一番盛り上がった位置でバストのトップがくる部分となる。３はバストに直接触れる面である。【０００９】  前記ブラカップを使用したブラジャーを装着した場合、１ａのバストトップとバストに直接触れる３の面の間には完全な空間がある、即ち風を通し熱を逃がし蒸れを防止することができる。【００１０】  本考案の一実施例は、上述の如き構成からなるものであるからバストのサイズに合わせ、厚みや高さの調整、形状は丸型や半月型など自由自在に変化させる事ができる。
【産業上の利用可能性】
【００１１】  現在のブラジャーは大きいバストの人の為の物が多く、持ち上げたり、よせたりとパワーネットやソフトワイヤーを駆使した様々なデザインがあり可愛らしいものから、エレガントで上品なものまで豊富である。しかし痩せ型体形でバストの小さい人用のブラジャーはデザインに限りがあり、可愛らしいテイスト中心で若い人のものという印象が強い。
このようなブラジャーはウレタンパットやシリコン等ですきまや高さをうめるので厚さを増す為、どうしても通気が悪く蒸れが生じ不快になるのである。
若い世代はバストを美しく見せる為にブラジャーポケットにパットを重ねて入れることは面倒なこととは思わないが、年齢を増すごとに次第に苦になるものである。
そこで発想を変えて、すきまや厚みの部分をあえて空間にすることによって風の通りを良くし、外観の美しさはもちろんのこと、蒸れなどの使用感両面を女性の視点で提案するものである。【００１２】  例えば風が通るブラカップの表面を装飾レースで被い、カップ裏面を綿生地で被ってしまえば直接肌が透けて見えることがないので外観も美しくバリエーションに富んだものができるであろう。しかも通気に優れており暑い日の長時間の着用でも心地良く使用できる。もしこのようなブラジャーを販売しているのであれば女性は是非とも購入したいと思う。
近年、暑さを増す夏、自宅においても、職場においても涼しいエコなブラジャーを身につけたいところである。以上のことから中高年、働く女性、主婦層のニーズは高いと思われる。
【符号の説明】
【００１３】  １  表面ネット
２  合わせ加工部分
３  裏面ネット
【図１】
0003173447.tif 000003
【図２】
0003173447.tif 000004
(57)【要約】      （修正有）【課題】災害時等緊急性が高く、かつ、（携帯）電話による通信手段がなかなか通じない場合に、比較的簡単に（携帯）電話を通じ、簡単なメッセージを送れる電話機を提供する。【解決手段】災害時安心モードに設定し、緊急通信として相手側の受信音を１回ならして切ることで、１件ごとの通信時間を短くすることができ、より多くのひとが通信できることに役立つ。通常の１件当たり通信時間を約１８０秒（３分）と仮定し、本件の１件当たり通信時間１０秒と仮定すると、約１８倍の通信が可能になる。また、通信回線の空き容量を確保するのにも役立つ。【選択図】図１
0003173411.tif 000002
【実用新案登録請求の範囲】
【請求項１】
（携帯）電話機本体に災害時安心モードを設け、発信者が相手側の受信を１回鳴らして切る行為を行うことにより、相手側に発信者は無事であることを伝える機能を備えた（携帯）電話機。
【考案の詳細な説明】
【技術分野】
【０００１】本考案は、災害時安心モードを設けた（携帯）電話機に関するものである。
【背景技術】
【０００２】すでに（携帯）電話等には、災害用伝言版等が存在するが、本考案は、それとは別に新たなる角度から考案されたものである。
【先行技術文献】
【特許文献】
【０００３】
【非特許文献】
【０００４】
【考案の概要】
【考案が解決しようとする課題】
【０００５】災害時等緊急性が高く、かつ、（携帯）電話による通信手段がなかなか通じない場合に、比較的簡単に（携帯）電話を通じ、簡単なメッセージを送れること。
【課題を解決するための手段】
【０００６】本考案は、（携帯）電話機に、災害時安心モードを設け、さらに発信者が受信者の着信音を１回鳴らしてすぐ切る（いわゆるワン切りする）ことで、受信者側に発信者側の安否「わたしは無事です。安心してください。」というメッセージを送るものである。
【考案の効果】
【０００７】通常の１件当たり通信時間を約１８０秒（３分）と仮定し、本考案の１件当たり通信時間１０秒と仮定すると、約１８倍の通信が可能になる。また、通信回線の空き容量を確保するのにも役立つ。
【図面の簡単な説明】
【０００８】
【図１】本考案の、災害時安心モード付（携帯）電話機の一実例を示す正面図。
【図２】本考案の災害時安心モード付（携帯）電話機（タッチパネル式）の一実例を示す正面図。
【図３】本考案の災害時安心モード同志で通信した場合の、発信者の発信画面および受信者の着信履歴画面。
【図４】本考案の災害時安心モードから通常モードへ通信した場合の発信者の発信画面および受信者の着信履歴画面。
【図５】通常モードから本考案の災害時安心モードへ通信した場合の発信者の発信画面および受信者の着信履歴画面。
【考案を実施するための形態】
【０００９】新機種の場合は、災害時安心モードに出入りするボタンを（携帯）電話機のどこかにつけます。
従来機種の場合は、プログラム変更などを行い、災害時安心モードへ出入りすることのできるボタンを（携帯）電話機のどこかに割り当てます。
【実施例】
【００１０】災害時安心モード同志で通信した場合［図３］【００１１】災害時安心モードから通常モードへ通信した場合［図４］【００１２】通常モードから災害時安心モードへ通信した場合［図５］
【符号の説明】
【００１３】１  （携帯）電話機本体
２  災害時安心モードと通常モードの切り替えボタン
３  専用ボタンが設けられない場合に他のボタンに割り当てる一例
４  ディスプレイ
【図１】
0003173411.tif 000003
【図２】
0003173411.tif 000004
【図３】
0003173411.tif 000005
【図４】
0003173411.tif 000006
【図５】
0003173411.tif 000007
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
電話機本体に災害時安心モードを設け、このモードで発信者が相手側の受信を１回鳴らして切る行為を行うことにより、相手側に発信者は無事であることを伝える（災害時安心モード同志の通信であれば受信者の着信履歴に発信者の名前・電話番号・「私は無事です安心してください」とのメッセージを表示、災害時安心モードから通常モードへの通信のときは受信者の着信履歴に発信者の名前・電話番号を表示、通常モードから災害時安心モードへ通信のときは受信者の着信履歴に発信者の名前・電話番号を表示する）機能を備えた電話機で、災害時安心モードと通常モードの切替・出入りのできるボタンのついた携帯電話機をはじめとするディスプレイ付電話機。
【手続補正書】
【提出日】平成23年11月21日(2011.11.21)
【手続補正１】
【補正対象書類名】実用新案登録請求の範囲
【補正対象項目名】全文
【補正方法】変更
【補正の内容】
【実用新案登録請求の範囲】
【請求項１】
電話機本体に災害時安心モードを設け、このモードで発信者が相手側の受信を１回鳴らして切る行為を行うと、災害時安心モード同志の通信であれば受信者の着信履歴に発信者の名前・電話番号・「私は無事です安心してください」とのメッセージを表示、災害時安心モードから通常モードへの通信のときは受信者の着信履歴に発信者の名前・電話番号を表示、通常モードから災害時安心モードへ通信のときは受信者の着信履歴に発信者の電話番号を表示することにより、相手側に発信者は無事であることを伝える機能を備えた電話機で、災害時安心モードと通常モードの切替のできるボタンのついた携帯電話機をはじめとするディスプレイ付電話機。
(57)【要約】      （修正有）【課題】ブラシ素線表面に砥粒を固定させることにより、付着材除去、磨きムラ、弾力性、柔軟性に優れ被研磨体に損傷を与えず、且つ研磨速度の短縮化、加工精度の高度化という利点があるブラシを提供する。【解決手段】ブラシ素線は被膜芯材と被膜砥粒とを芯材第２層ニッケル被膜１０と砥粒ニッケル被膜１２との電着によって芯材９と砥粒１２と固着後、ブラシ素線の外部側にある砥粒ニッケル被膜１２の一部を剥離した構造のブラシとする。【選択図】図４
0003173416.tif 000002
【実用新案登録請求の範囲】
【請求項１】
ブラシ束２はブラシ素線５を適量束ねたものであり、ブラシ素線５は被膜芯材６と被膜砥粒７とを芯材第２層ニッケル被膜１０と砥粒ニッケル被膜１２との電着によって芯材９と砥粒１２とを固着される構造を特徴とするブラシ。
【請求項２】
被膜芯材６と被膜砥粒７とを固着後、ブラシ素線５の外部側にある各被膜砥粒７の剥離部１３に示されるように砥粒ニッケル被膜１２の一部を剥離して、切削時の精度をあげる構造を特徴とする請求項１記載のブラシ。
【請求項３】
ブラシ素線５の芯材８としてカーボンナノチューブ紡糸材を使用し単線、もしくは複数のカーボンナノチューブ紡糸材を撚り線としたことを特徴とする請求項１又は請求項２に記載のブラシ。 
【考案の詳細な説明】
【技術分野】
【０００１】
本考案は、汚物除去、各種表面部の研磨に容易なブラシの構造に関するものである。
【背景技術】
【０００２】
各種ブラシは、歯垢除去や、各種金属、樹脂等の内外面の付着不要材除去、磨き等に広
範囲に実用として供されている。（例えば特許文献１及び非特許文献１参照）
【０００３】
一般的にはブラシの作動と共に各種研磨材を投入して、歯垢除去や、各種金属、樹脂等
の内外面の付着不要材除去や磨きに供されているが、被研磨体の各種研磨材の回収除去、研磨材の密度ムラによる研磨ムラの発生等の問題があった。
【０００４】
この改善策として、ブラシ素材を樹脂としてその中に研磨砥粒を混入させたブラシ線材を使用したものがあるが剛性、柔軟性に欠け被研磨体の損傷や用途に制限される問題があった。
【先行技術文献】
【特許文献】
【０００５】
【特許文献１】特開２０１０−２７４３３２号公報
【非特許文献】
【０００６】
【非特許文献１】昭和工業株式会社  ブラシ素材ＳＫハイパーグリット  商品カタログ２０１１年
【考案の概要】
【考案が解決しようとする課題】
【０００７】
解決しようとする問題点は、浮遊砥粒の場合、各種研磨材の回収除去、研磨材の密度ムラによる研磨ムラ、ブラシ砥粒入り材の場合、剛性、柔軟性に欠け用途に制限される点である。
【課題を解決するための手段】
【０００８】
本考案は、ブラシ素線表面に砥粒を固着したことを最も主要な特徴とする。
【考案の効果】
【０００９】
本考案のブラシの構造は、付着材除去、磨きムラ、弾力性、柔軟性に優れ被研磨体に損傷を与えず、且つ研磨速度の短縮化、加工精度の高度化という利点がある。
【図面の簡単な説明】
【００１０】
【図１】図１は、本考案の実施例１の側面と正面図であって、２はブラシ束、３はブラシ束を固定する留金、１は留金３を介して固定する台座の構成図。（実施例１）
【図２】図２は、本考案の実施例２の側面と正面図であって、２はブラシ束、３はブラシ束を固定する留金３、４は留金３を介して固定する支持線の構成図である。（実施例２）
【図３】図３はブラシ束２を構成するブラシ素線５の部分拡大図である。
【図４】図４はブラシ素材５の図３のＡ部の部分拡大図で、８は芯材、９は芯材第１層銅被膜、１０は芯材第２層ニッケル被膜、１１は砥粒、１２砥粒ニッケル被膜、１３は被膜砥粒７の一部を研磨によって剥離する剥離部。
【図５】図５は被膜芯材６の断面拡大図で、８は芯材、９は芯材第１層銅被膜、１０は芯材第２層ニッケル被膜。
【図６】図６は被膜砥粒７の部分拡大断面図で１１は砥粒、１２は砥粒ニッケル被膜。
【考案を実施するための形態】
【００１１】
弾力性、柔軟性が得られ被研磨体に損傷を与えず、且つ研磨速度が短縮されるという目的を、各種ブラシ構造を損なわずに実現した。
【実施例１】
【００１２】
図１は、本考案の実施例１の側面と正面図であって、２はブラシ束、３はブラシ束を固定する留金、１は留金３を介して固定する台座の構成図。
【００１３】
ブラシ束２はブラシ素線５を適量束ねたものである。ブラシ素線５は被膜芯材６と被膜砥粒７とを芯材第２層ニッケル被膜１０と砥粒ニッケル被膜１２との電着によって強固に固着される。
【００１４】
被膜芯材６と被膜砥粒７とを固着後、ブラシ素線５の外部側にある各被膜砥粒７の図４剥離部１３に示されるように砥粒ニッケル被膜１２の一部を剥離して、切削時の精度をあげる構成図である。
【００１５】
このようなブラシ素材５の構造を利用したので付着材除去、磨きムラ、弾力性、柔軟性に優れ被研磨体に損傷を与えず、且つ研磨速度の短縮化、加工精度の高度化という利点がある。
【実施例２】
【００１６】
図２は、本考案の実施例２の側面と正面図であって、２はブラシ束、３はブラシ束を固定する留金３、４は留金３を介して固定する支持線の構成図である。
【００１７】
ブラシ束２はブラシ素線５を適量束ねたものである。ブラシ素線５は被膜芯材６と被膜砥粒７とを芯材第２層ニッケル被膜１０と砥粒ニッケル被膜１２との電着によって強固に固着される。
【００１８】
被膜芯材６と被膜砥粒７とを固着後、ブラシ素線５の外部側にある各被膜砥粒７の図４剥離部１３に示されるように砥粒ニッケル被膜１２の一部を剥離して、切削時の精度をあげる構成図である。
【００１９】
このようなブラシ素材５の構造を利用したので付着材除去、磨きムラ、弾力性、柔軟性に優れ被研磨体に損傷を与えず、且つ研磨速度の短縮化、加工精度の高度化という利点がある。
【産業上の利用可能性】
【００２０】
繊細な研磨加工や磨き等精密機器、医療機器の内径研磨用途にも適用できる。
【符号の説明】
【００２１】
１    ブラシ
２    ブラシ台座
３    ブラシ束
４    ブラシ留金
５    支持線
６    ブラシ素線
７    被膜芯材
８    被膜砥粒
９    芯材
１０    芯材第１層銅被膜
１１    芯材第２層ニッケル被膜
１２    砥粒
１３    砥粒ニッケル被膜
１４    剥離部
【図１】
0003173416.tif 000003
【図２】
0003173416.tif 000004
【図３】
0003173416.tif 000005
【図４】
0003173416.tif 000006
【図５】
0003173416.tif 000007
【図６】
0003173416.tif 000008
(57)【要約】      （修正有）【課題】リニアーモーターの原理を円形レールとして活用し、これを発電機の回転動力として利用する自家発電機を提供する。【解決手段】回転軸を回すことで発電する発電機と、前記回転軸を中心とする円周上に配置される複数の電磁コイルと、基端側が前記回転軸に固定され、先端側に永久磁石が固定されるレバーであって、前記回転軸が回ることで前記永久磁石が前記電磁コイルに近接する位置で回転するよう保持するレバーとを有する。円形レールと連動レバーによる構造で、小型・大型化することにより利用範囲を拡大させる事が出来る。【選択図】図１
0003173414.tif 000002
【実用新案登録請求の範囲】
【請求項１】
電磁コイルの磁力を利用して発電機を回転させ必要な電力を得たり、バッテリーに充電する設備である。
【請求項２】
小型化すれば電気自動車のエンジンとしても活用する事が出来る。
【請求項３】
大型化すれば大容量の電力を得る事が可能で工業用としても利用することも出来る。
【請求項４】
上記の１・２・３いずれも、２４時間３６５日回転させ電力を得る事が出来る。
【請求項５】
ＣＯ２を発生させることも無くエコに適した製品である。
【考案の詳細な説明】
【考案の詳細な説明】
この考案は太陽光熱発電や風力発電は、２４時間３６５日発電させることは出来ません、自然の天候に頼るしか無いのです。
本考案は、その欠点を除くために発明したものであります。
リニア−モ−ターの原理を円形にして永久回転をさせる事により必要な  電力を、永久に得る事が出来る。
発電能力の約３０％をリニアーの動力源として利用して、残りの７０％を発電量として活用することが出来るのである。
【図面の簡単な説明】
【図１】  本案の透視図である。
【図２】  本案の断面図である。
【符号の説明】  ▲１▼は発電機、      ▲２▼は回転軸、      ▲３▼はリニアーレール、
▲４▼は連動レバー、  ▲５▼は固定枠、      ▲６▼は取付け台、
【図１】
0003173414.tif 000003
【図２】
0003173414.tif 000004
【手続補正書】
【提出日】平成23年8月24日(2011.8.24)
【手続補正１】
【補正対象書類名】実用新案登録請求の範囲
【補正対象項目名】全文
【補正方法】変更
【補正の内容】
【実用新案登録請求の範囲】
【請求項１】
電磁コイルの磁力と吸引力、又、逆く電流をながして反発力を利用し発電気を回転させて必要な電力を得る自家発電装置です。
【請求項２】
自然の太陽光や風力を利用したものではないため天候に左右されることも無く、２４時間３６５日・回転させる事がでる自家発電装置きます。
【請求項３】
ＣＯ２を発生させることも無く「エコ」に適した自家発電装置である。
【手続補正２】
【補正対象書類名】明細書
【補正対象項目名】０００２
【補正方法】変更
【補正の内容】
【０００２】
【図１】  本案の平面図である。
【図２】  本案の透視図である。
【図３】  本案の断面図である。
【手続補正３】
【補正対象書類名】明細書
【補正対象項目名】０００３
【補正方法】変更
【補正の内容】
【０００３】▲１▼発電気です、また発電した電力は側面のリード線から取り出します。
▲２▼発電気に連動した回転軸です。▲３▼電磁コイルを設置するレールです。
▲４▼永久磁石です。              ▲５▼電磁コイルで有ります。
▲５▼回転力を伝えるレバーです。  ▲７▼固定枠です。
▲８▼取り付け台です。
【手続補正５】
【補正対象書類名】図面
【補正対象項目名】全図
【補正方法】変更
【補正の内容】
【図１】
0003173414.tif 000005
【図２】
0003173414.tif 000006
【図３】
0003173414.tif 000007
【手続補正書】
【提出日】平成23年11月7日(2011.11.7)
【手続補正１】
【補正対象書類名】実用新案登録請求の範囲
【補正対象項目名】全文
【補正方法】変更
【補正の内容】
【実用新案登録請求の範囲】
【請求項１】
回転軸を回すことで発電する発電機と、
前記回転軸を中心とする円周上に配置される複数の電磁コイルと、
基端側が前記回転軸に固定され、先端側に永久磁石が固定されるレバーであって、前記  回転軸が回ることで前記永久磁石が前記電磁コイルに近接する位置で回転するよう保持  するレバーと
を有する自家発電機。
(57)【要約】      （修正有）【課題】面ファスナーの裏面にアクリル樹脂等の粘着剤を塗布することで、着脱可能とした面ファスナーを提供する。【解決手段】面ファスナーの裏面にアクリル等の粘着性樹脂を塗布することにより、平らな面に対して密着と剥離を可能にする。この構成により、接着したくない素材あるいは縫製できない素材への利用のために面ファスナーを着脱可能にする。適用の範囲としてはガラス面・鏡面・ノート型ＰＣの表面・プラスチック面等の表面が平らな面を持つ物に利用できる。【選択図】図１
0003173488.tif 000002
【実用新案登録請求の範囲】
【請求項１】
面ファスナーの裏面に密着の性質があるアクリル樹脂剤を塗布した「着脱型面ファスナー」である。
【考案の詳細な説明】
【技術分野】
【０００１】
面ファスナー裏面の性質について
【背景技術】
【０００２】
従来の面ファスナーには接着型の面ファスナーと縫製型の面ファスナーがあるが着脱可能の面ファスナーは市販されていない。
そのため面ファスナーの裏面にアクリル樹脂等の着脱可能の粘着剤を塗布した面ファスナーを考案した。
【先行技術文献】
【特許文献】
【０００３】
【特許文献１】特許公開2006-318439
【考案の概要】
【考案が解決しようとする課題】
【０００４】
現在面ファスナーには、接着型と縫製型が市販され利用されているが密着と剥離が可能な面ファスナーは市販されていない。接着したくない素材あるいは縫製できない素材への利用のために着脱可能の面ファスナーを考案して面ファスナーの活用の幅を拡大する。
適用の範囲としてはガラス面・鏡面・ノート型PCの表面・プラスチック面等の表面が平らな面を持つ物に利用できる。
【課題を解決するための手段】
【０００５】
面ファスナーの裏面にアクリル等の粘着性樹脂を塗布することにより、平らな面に対して密着と剥離が可能になる。
現在密着と剥離が可能な商品としては便座カバー等が一般に市販されているがその機能を面ファスナーに応用しようとするものである。
【考案の効果】
【０００６】
密着と剥離が可能な面ファスナーを考案することにより、接着したくない素材への面ファスナーの利用が可能となる。適用商品例として「ワイヤレスマウスホールダー」愛称「くっつきマウス」（図１参照）等が考えられる。
「くっつきマウス」とは着脱型面ファスナーを使用した製品例である。近年普及が著しいワイヤレスマウスはノート型PCを持ち運ぶ際にしばしば落下して破損する場合がある。そのためノート型PC上に固定したいが接着型の面ファスナーは使いたくない場合に便利な製品である。
【図面の簡単な説明】
【０００７】
【図１】ノート型PCに着脱型の面ファスナーを使用して作成した「くっつきマウス」を密着させ、ワイヤレスマウスをセットしたものである。
【図２】ノート型PC側に着脱型面ファスナー（フック）を密着させ、マウス側には接着型の面ファスナー（ループ）を貼付したものである。
【図３】ノート型ＰＣに密着させるアクリル樹脂剤を塗布した面ファスナーの裏面。写真は便座カバーを流用したものである。
【考案を実施するための形態】
【０００８】
着脱型の面ファスナーは接着型の面ファスナーの接着剤の代わりに密着の性質があるアクリル樹脂剤を塗布して製造するものである。
【実施例】
【０００９】
着脱型面ファスナーを使用した実施例としては「ワイヤレスマウスホールダ―」愛称「くっつきマウス」が考えられる。
「くっつきマウス」とは着離型面ファスナーを使用した以下のような製品例である。
近年普及が著しいワイヤレスマウスはノート型のPCを持ち運ぶ際にしばしば落下して破損する場合がある。そのためPC上に固定したいが接着型の面ファスナーは使いたくない場合に便利な製品であるし、マウスの定位置を安全に確保する利点がある。
具体的にはPC側に着脱型面ファスナー（フック）を密着させ、マウス側には接着型の面ファスナー（ループ）を貼付したものである。
【産業上の利用可能性】
【００１０】
着脱型の面ファスナーは接着型の面ファスナーの接着剤の代わりに密着の性質があるアクリル樹脂剤を塗布して製造するものであり製造工程は粘着性の薬剤をアクリル樹脂等の密着性の薬剤への変更という簡単なものであり、なおかつ現在広範囲に普及している面ファスナーの応用の範囲も広がるものと想定される。
【図１】
0003173488.tif 000003
【図２】
0003173488.tif 000004
【図３】
0003173488.tif 000005
(57)【要約】      （修正有）【課題】トイレットペーパーの芯は水に溶けにくい素材で作られているため、トイレットペーパーを使い切った後は芯を別途捨てる必要があった。芯を便器に流せるトイレットペーパーを提供する。【解決手段】トイレットペーパーの芯を、水に濡れるとほぐれる素材で作成し、便器に流して処分できるようにする。トイレットペーパーの芯を流して処分できるようになり、別途捨てる必要がなくなる。【選択図】図１
0003173481.tif 000002
【実用新案登録請求の範囲】
【請求項１】
芯を便器に流して処分できるよう、水に濡れるとほぐれる素材で芯が作成されたトイレットペーパー。
【考案の詳細な説明】
【技術分野】
【０００１】  本考案は芯が水に溶け便器に流せるトイレットペーパーに関する。
【背景技術】
【０００２】  芯が水に溶けるトイレットペーパーはなかった。
【考案の概要】
【考案が解決しようとする課題】
【０００３】  トイレットペーパーの芯は水に溶けにくい素材で作られているため、トイレットペーパーを使いきった後は芯を別途捨てる必要があった。
【課題を解決するための手段】
【０００４】  トイレットペーパーの芯を、水に濡れるとほぐれる素材で作成する。
【考案の効果】
【０００５】  トイレットペーパーの芯を便器に流して処分できるようになり、別途捨てる必要がなくなる。
【図面の簡単な説明】
【０００６】
【図１】本考案の正面図である。
【符号の説明】
【０００７】１…トイレットペーパーの芯本体
【図１】
0003173481.tif 000003
(57)【要約】      （修正有）【課題】暗闇でも視力が衰えた者でも判別しやすい絵柄式南京錠を提供する。【解決手段】金属からなる暗証番号式南京錠の番号の部分を凸状の○・△・＋・−・☆などの手触りでも識別できる簡単な10種類の絵柄の羅列する。【選択図】図１
0003173485.tif 000002
【実用新案登録請求の範囲】
【請求項１】
金属からなる暗証番号式南京錠の番号の部分を凸状の手触りで識別できる１０種類の絵柄の羅列によって、暗闇でも視力が衰えた者にも暗証絵柄が容易に合わせられる暗証絵柄式南京錠。
【考案の詳細な説明】
【技術分野】
【０００１】
本考案は、金属からなる絵柄式南京錠に関する。
【背景技術】
【０００２】
番号式南京錠がある。
【考案の概要】
【考案が解決しようとする課題】
【０００３】
番号式南京錠の数字は凹状で似通った数字があるため暗闇や視力が衰えた者にとっては判別し難く、番号を合わせるのが困難である。
【課題を解決するための手段】
【０００４】
本考案は、番号式南京錠の暗証番号の部分を凸状の判別し易い単純な絵柄にする。
【考案の効果】
【０００５】
本考案に係る絵柄式南京錠は、暗証を凸状の絵柄にする事によって、暗闇でも手触りで絵の組み合わせが容易にできる。
【図面の簡単な説明】
【０００６】
【図１】絵柄式南京錠の概略図
【図２】絵柄式南京錠の絵柄列の拡大図
【考案を実施するための形態】
【０００７】
金属からなる暗証番号式南京錠の番号の部分を凸状の○・△・＋・−・☆などの１０種類の単純な絵柄にして、その絵柄の組み合わせを暗証にするものである。図２に１０種類の絵柄の一例を記載した。この例に限らず、単純な絵柄で手触り判別できるようなものであれば、自由に設定できるものとする。
【図１】
0003173485.tif 000003
【図２】
0003173485.tif 000004
(57)【要約】      （修正有）【課題】台状の外枠の片面を開口して、そこから滑車が付いた中のゴミ箱が引き出せる台所用分別ゴミ箱を提供する。【解決手段】樹脂・木材・金属などからなる台状の外枠１の片面に開口部を設け上部には蓋３を付け、同素材からなりゴミ箱２となる中箱本体の中を仕切り版で三区画に分ける。さらに、中箱本体の下に取り付けた４個の滑車によって外枠の開口部から引き出す事が容易にでき、三種類のゴミが側面と上面から収納・分別・ひとまとめにできるようにして台所用分別ゴミ箱を形成する。開口した箱をひっくり返した形の外枠の片側を開口し、下に４個の滑車が付き中を仕切り版で三区画にした中のゴミ箱が引き出せる。【選択図】図１
0003173484.tif 000002
【実用新案登録請求の範囲】
【請求項１】
本考案は、樹脂・木材・金属などからなる台状の外枠の片面に開口部を設け上部には蓋を付け、同素材からなる中箱本体の中を仕切り版で三区画に分け下に取り付けた４個の滑車によって外枠の開口部から引き出す事が容易にでき三種類のゴミが側面と上面から収納・分別・ひとまとめにできる台所用分別ゴミ箱。
【考案の詳細な説明】
【技術分野】
【０００１】
本考案は、台所のゴミを三分別するためのゴミ箱に関する。
【背景技術】
【０００２】
ゴミを種類別に入れる物や、二分別するゴミ箱がある。
【考案の概要】
【考案が解決しようとする課題】
【０００３】
台所には大きく分けて三種類のゴミが日々出される。それらを簡単にきれいにまと              められるゴミ箱がない。
【課題を解決するための手段】
【０００４】
本考案は、台状の外枠の開口した側面から滑車の付いた中のゴミ箱が引き出せる。
ゴミ箱は三区画になっているので三種類のゴミの分別が簡単で、しかもひとまとめにできる。外枠の上部が蓋になっているので、上面・側面のどちらからでもゴミ入れと分別が容易である。
【考案の効果】
【０００５】
三種類のゴミの分別が簡単で、しかもひとまとめにできる。上面と側面からゴミの収納と分別ができるので料理中や食後のゴミの片付けが容易で、ゴミ箱らしくない外観がおしゃれである。
【図面の簡単な説明】
【０００６】
【図１】本考案に係る台所分別ゴミ箱の概観図である。
【図２】本考案に係る台所分別ゴミ箱の外枠と蓋の概観図である。
【図３】本考案に係る台所分別ゴミ箱の中のゴミ箱本体の概観図である。
【考案を実施するための形態】
【０００７】
外枠（図２）と引き出し式の中箱（図３）からなるゴミ箱で、外枠は長方形の台状の物で片側を開口する。中箱の下に四個の滑車を取り付け、取っ手で外枠から引き出す。中箱の中を仕切り版によって三区画にして、三種類のゴミの収納と分別を容易にする。外枠の上面にワンタッチで開く蓋を付け、ここからもゴミの収納ができる。三種類のゴミがひとまとめになるので場所を取らずに台所が片付き、外観がスッキリして見栄えが良い。
【符号の説明】
【０００８】
１  外枠
２  ゴミ箱
３  ふた
４  滑車
５  仕切り板  
６  取っ手
【図１】
0003173484.tif 000003
【図２】
0003173484.tif 000004
【図３】
0003173484.tif 000005